(57)【要約】【課題】  使用材料が削減されて製造コストが安価に済む尖鋭突起付バンドを提供することを目的とする。【解決手段】  外方に突出した尖鋭突起部４と、管や柱等の固定部材に外嵌されるバンド部２とを備える尖鋭突起付バンドにおいて、前記尖鋭突起部４は、前記バンド部２の一部が突出して形成されてなることを解決手段とする。【選択図】  図１
2005139723.tif 000002
【特許請求の範囲】
【請求項１】
外方に突出した尖鋭突起部（４）と、管や柱等の固定部材に外嵌されるバンド部（２）とを備える尖鋭突起付バンドにおいて、前記尖鋭突起部（４）は、前記バンド部（２）の一部が突出して形成されてなることを特徴とする尖鋭突起付バンド。
【請求項２】
前記尖鋭突起部（４）は、前記バンド部（２）の一部が切り起こされて形成されてなる請求項１に記載の尖鋭突起付バンド。
【請求項３】
前記尖鋭突起部（４）がＶ字状に形成されてなる請求項１または２に記載の尖鋭突起付バンド。
【請求項４】
前記バンド部（２）は、長尺帯状の板材（１ａ）がその両端部（１ｂ，１ｂ）を残して中央部（１ｃ）で環状に曲折されることで形成されてなる請求項１乃至３のいずれかに記載の尖鋭突起付バンド。
【請求項５】
前記長尺帯状の板材（１ａ）は、矩形状の板材がその一の辺方向に沿って切断され形成されたものである請求項４に記載の尖鋭突起付バンド。
【請求項６】
前記尖鋭突起部（４）は、前記長尺帯状の板材（１ａ）が曲折されることでバンド部（２）の一部が外方に突出して形成されたものである請求項４または５に記載の尖鋭突起付バンド。
【請求項７】
前記尖鋭突起部（４）は、前記バンド部（２）の外周に適宜間隔を置いて複数形成されている請求項１乃至６のいずれかに記載の尖鋭突起付バンド。
【請求項８】
隣接する尖鋭突起部（４，４）が互いに略反対方向に向けて形成されている請求項７に記載の尖鋭突起付バンド。
【請求項９】
前記バンド部（２）は、２つの半円形の半バンド体の一端部同士が枢支ピンにより連結され、且つ、他端部に係合部および被係合部がそれぞれ設けられて該他端部同士が互いに係合することで形成され、該バンド部（２）の外周の一部に、前記固定部材が施工されている建屋に取り付けられる略棒状の取付杆が固設されてなる請求項１乃至３のいずれかに記載の尖鋭突起付バンド。
【発明の詳細な説明】
【技術分野】
【０００１】
本発明は、尖鋭突起付バンドに関し、詳しくは、建屋の壁面に施工された縦樋や導水管に忍び返しの機能を付与する尖鋭突起付バンドに関する。
【背景技術】
【０００２】
最近、マンションや一般家屋等の建屋の壁面に施工された縦樋や導水管を足場にして階上によじ上られ、建屋内へ不法に侵入される被害が急増している。これに対して、図６に示す形態の尖鋭突起付バンド２１が開発され、これを縦樋等の適所に装着することで、これを見る者を威圧して建物内への不法侵入を防ぐ、いわゆる忍び返しの機能を縦樋等に付与している。
【０００３】
この尖鋭突起付バンド２１は、金属製の帯状の板材を環状に曲折することにより縦樋等の管に外嵌されるバンド部２２が形成され、該バンド部２２の外周に、両端部を削って尖鋭とするとともに中央部を「く」字状に屈曲した金属製の棒状体２４が溶接により複数取り着けられて尖鋭突出部を形成している。
【発明の開示】
【発明が解決しようとする課題】
【０００４】
しかしながら、かかる従来例の尖鋭突起付バンド２１は、バンド部２２を構成する帯状の板材に、尖鋭突出部を構成する棒状体２４が溶接されてなるため、構造上機械生産に適さず、手作業にて製造されるため、製造コストが嵩むという問題点があった。
【０００５】
本発明は、上述した問題に鑑みてなされたものであり、使用材料が削減されて製造コストが安価に済む尖鋭突起付バンドを提供することを目的とする。
【課題を解決するための手段】
【０００６】
本発明に係る尖鋭突起付バンドは、外方に突出した尖鋭突起部と、管や柱等の固定部材に外嵌されるバンド部とを備える尖鋭突起付バンドにおいて、前記尖鋭突起部は、前記バンド部の一部が突出して形成されてなることを特徴とする。
【０００７】
該尖鋭突起付バンドによれば、例えば、縦樋や導水管に装着することで、外方に突出した尖鋭突起部によって該縦樋等に忍び返しの機能が付与され、しかも、尖鋭突起部がバンド部の一部から形成されるため、尖鋭突起部とバンド部とを同一の部材から形成することができる。
【０００８】
前記尖鋭突起付バンドにあっては、前記尖鋭突起部は、前記バンド部の一部が切り起こされて形成されてなることが好ましい。
【０００９】
上記好ましい構成によれば、バンド部の一部を切り起こすことで尖鋭突起部が容易に形成される。
【００１０】
前記尖鋭突起付バンドにあっては、前記尖鋭突起部がＶ字状に形成されてなることが好ましい。
【００１１】
上記好ましい構成によれば、尖鋭突起部がＶ字状に形成されているので、例えば、板材をＶ字状に切り込んで該切り込み部を板材から突出させることで尖鋭突起部を容易に形成することができる。
【００１２】
前記尖鋭突起付バンドにあっては、前記バンド部は、長尺帯状の板材がその両端部を残して中央部で環状に曲折されることで形成されてなることが好ましい。
【００１３】
上記好ましい構成によれば、１本の長尺帯状の板材によって、尖鋭突起部およびバンド部を形成することができ、尖鋭突起付バンドの材料コストが削減される。
【００１４】
前記尖鋭突起付バンドにあっては、前記長尺帯状の板材は、矩形状の板材からその一の辺方向に沿って切断され形成されたものであることが好ましい。
【００１５】
上記好ましい構成によれば、１枚の矩形状の板材から多数本の長尺帯状の板材が得られ、尖鋭突起付バンドの材料コストが削減されるとともに、尖鋭突起付バンドの製造工程がシンプル化され得る。
【００１６】
前記尖鋭突起付バンドにあっては、前記尖鋭突起部は、前記長尺帯状の板材が曲折されることでバンド部の一部が外方に突出して形成されたものであることが好ましい。
【００１７】
上記好ましい構成によれば、長尺帯状の板材を曲折するという単純な操作で尖鋭突起部を形成することができ、しかも、板材を曲折する操作とバンド部から尖鋭突起部を突出させる操作を一度に行うことができるので、尖鋭突起付バンドの製造工程が更にシンプル化され得る。
【００１８】
前記尖鋭突起付バンドにあっては、前記尖鋭突起部は、前記バンド部の外周に適宜間隔を置いて複数形成されていることが好ましい。
【００１９】
上記好ましい構成によれば、複数の尖鋭突起部によって、尖鋭突起付バンドが装着される縦樋や導水管に付与される忍び返しの機能が強化される。
【００２０】
前記尖鋭突起付バンドにあっては、隣接する尖鋭突起部が互いに略反対方向に向けて形成されていることが好ましい。
【００２１】
上記好ましい構成によれば、隣接する尖鋭突起部が互いに略反対方向に向くことで、例えば、尖鋭突起付バンドを垂直方向に延びる縦樋や導水管に装着した場合に、該縦樋等に上下双方向に尖鋭突起部が突出するようになり、縦樋や導水管に付与される忍び返しの機能が更に強化される。
【００２２】
前記バンド部は、２つの半円形の半バンド体の一端部同士が枢支ピンにより連結され、且つ、他端部に係合部および被係合部がそれぞれ設けられて該他端部同士が互いに係合することで形成され、該バンド部の外周の一部に、前記固定部材が施工されている建屋に取り付けられる略棒状の取付杆が固設されてなることが好ましい。
【００２３】
上記好ましい構成によれば、尖鋭突起付バンドは、縦樋や導水管に忍び返しの機能を付与する役割と、該縦樋等を建屋の壁面に固定する控金具の役割とを兼ね備えたものとなる。
【発明の効果】
【００２４】
以上のように、本発明に係る尖鋭突起付バンドによれば、例えば、縦樋や導水管に装着することで、外方に突出した尖鋭突起部によって該縦樋等に忍び返しの機能が付与され、しかも、尖鋭突起部がバンド部の一部から形成されるため、尖鋭突起部およびバンド部を同一の部材から形成することができるので、使用材料が削減されて製造コストが安価に済むようになる。
【発明を実施するための最良の形態】
【００２５】
以下、本発明に係る尖鋭突起付バンドの一実施形態について図面を参照しながら説明する。図１は、本実施形態の尖鋭突起付バンドの全体斜視図である。該尖鋭突起付バンド１は、外方に突出した尖鋭突起部４と、管や柱等の固定部材に外嵌されるバンド部２と、該バンド部２を前記固定部材に着脱自在に装着する固定手段としてのボルト５ａ，ナット５ｂと、バンド部２の周方向の両端部に設けられ、前記ボルト５ａ，ナット５ｂが挿通穴３ａを通して挿通される一対の装着片３，３とを備えている。そして、前記尖鋭突起部４は、バンド部２の一部が突出して形成されている。
【００２６】
図１に示す尖鋭突起付バンド１においては、前記バンド部２は、長尺帯状の板材がその両端部を残して中央部で環状に曲折されることで形成されてなり、前記装着片３，３は、該長尺帯状の板材がその短手幅方向を横断する曲折線３ｂで曲折されて、その両端部がバンド部２の外周（外周面）から外方に突出することで形成されている。前記尖鋭突起部４は、前記バンド部２の外周に適宜間隔を置いて複数形成されており、隣接する尖鋭突起部４，４は、互いに略反対方向（図１においては上下方向）に向けて形成されている。そして、各尖鋭突起部４は、前記バンド部２の一部が切り起こされて先端が鋭角なＶ字状に形成されており、バンド部２において各尖鋭突起部４と対応する箇所にはＶ字状の透孔４ａが形成されている。また、前記挿通穴３ａは、各装着片３にバンド部２の短手幅方向に一対並んで形成されている。
【００２７】
この尖鋭突起付バンド１を形成する長尺帯状の板材の材質については特に限定されないが、曲折や切り込み加工が容易である観点から、柔軟性のある金属材料が好ましく、特に入手が容易で安価であることからＳＵＳ材が好ましい。
【００２８】
本実施の形態の尖鋭突起付バンド１を製造するには、先ず、図２（ａ）に示すように、矩形状の板材５、ここでは、厚みが均一なＳＵＳ製の長方形状の板材を用意する。該矩形状の板材５の短辺の長さ（板材５の幅）は、特に限定されないが、残余の板材を極力なくす観点から、得られる尖鋭突起付バンド１の全長（バンド部２と装着片３とを含む全長）と一致させておくことが好ましい。尚、バンド部２の内径は、外嵌される管や柱等の固定部材の外径と略一致させておく。
【００２９】
次いで、図２（ｂ）に示すように、該矩形状の板材５が切断して形成される長尺帯状の板材１ａを想定して切断予定線５ａを矩形状の板材５の短辺方向に沿って互いに略平行且つ略等間隔に複数設定しておき、この矩形状の板材５において、各長尺帯状の板材１ａの両端部における前記装着片３に相当する領域（矩形状の板材５の短辺方向両縁部近傍）に金属プレス加工により挿通穴３ａを該矩形状の板材５を貫通して複数形成する。
【００３０】
続いて、図２（ｃ）に示すように、矩形状の板材５における各長尺帯状の板材１ａの両端部を除く中央部（矩形状の板材５の短辺方向中央部）に、その長手方向に沿って短手幅方向上下に先端が交互に向くようにＶ字状の切り込み４ｂを金属プレス加工により複数形成する。
【００３１】
そして、図２（ｄ）に示すように、矩形状の板材５を前記切断予定線５ａ，…に沿ってカッターで順次切断して前記長尺帯状の板材１ａを複数形成する。ここで形成された各長尺帯状の板材１ａには、その中央部１ｃと両端部１ｂ，１ｂの境界に該板材１ａを曲折する曲折線３ｂを長尺帯状の板材１ａの短手幅方向を横断して設定しておく。
【００３２】
その後、図２（ｅ）に示すように、各長尺帯状の板材１ａをその両端部１ｂ，１ｂを残して中央部１ｃで環状に曲折することでバンド部２を形成し、曲折線３ｂで曲折することにより、両端部１ｂ，１ｂをバンド部２の外周（外周面）から外方に突出させて装着片３，３を形成する。ここで長尺帯状の板材１ａが曲折されることで、各Ｖ字状の切り込み４ｂがバンド部２の外周（外周面）から外方に突出して尖鋭突起部４が形成される。このようにして、本実施形態の尖鋭突起付バンド１が完成する。
【００３３】
以下に、本実施の形態の尖鋭突起付バンド１を、一例として、建屋の壁面に施工された縦樋に装着する方法について説明する。図３（ａ）に示すように、ボルト９によって上下方向に延設された縦樋６に控金具７が外嵌装着されるとともに該控金具７に取付杆８が固定され、該取付杆８の基端部が、建屋の壁面１０にアンカーボルト１２で固定された固定片１１に固着され、壁面１０に縦樋６が施工されている。先ず、図３（ａ）を参照して、この縦樋６の外径と略同じ内径のバンド部２を有する尖鋭突起付バンド１を用意し、その一対の装着片３，３を互いに離間させつつ、該装着片３，３の間を縦樋６を通過させ、尖鋭突起付バンド１のバンド部２を縦樋６に外嵌する。
【００３４】
次に、図３（ｂ）に示すように、ボルト５ａ，ナット５ｂを用いて各装着片３の挿通穴３ａ（図１参照）にボルト５ａを通して更に該ボルト５ａにナット５ｂを螺合することで装着片３，３を互いに接合することにより、縦樋６への尖鋭突起付バンド１の装着が完了する。尚、特に限定されないが、バンド部２が控金具７の端面上に載置されるように尖鋭突起付バンド１を縦樋６に装着することが好ましい。これにより、尖鋭突起付バンド１が控金具７によって支持され、その縦樋６への装着状態が安定する。
【００３５】
この状態で、尖鋭突起部４がバンド部２から外方に突出しているので、尖鋭突起付バンド１が装着された縦樋６に、見る者を威圧して建物内への不法侵入を防ぐ忍び返しの機能が付与される。
【００３６】
しかも、前記尖鋭突起部４は、バンド部２の一部が切り起こされて形成されるため、尖鋭突起部４を有するバンド部２を同一の長尺帯状の板材１ａから形成することができるので、使用材料が削減されて製造コストが安価に済み、しかも機械生産に適したものとなるため、大量生産が可能となる。更には、バンド部２は、ボルト５ａ，ナット５ｂ（固定手段）によって縦樋６に着脱自在に装着されるので、不要となった場合に縦樋６からの取り外しも容易に行うことができる。
【００３７】
尚、本発明は、上記実施形態に限定されず、本発明の要旨を変更しない範囲で、種々の形態の実施が可能である。
【００３８】
上記実施形態の尖鋭突起付バンド１では、前記尖鋭突起部４は、長尺帯状の板材１ａを曲折することでバンド部２の一部を外方に突出させて形成したため、図１に示すように尖鋭突起部４と透孔４ａの縁部とがなす角度（切り起こし角度）が１５°以上４５°以下の鋭角であり、尖鋭突起部４の反り具合は小さなものであったが、そのように突出した尖鋭突起部４を更にその状態から反り返らせて、図４に示す本発明の別の実施形態に係る尖鋭突起付バンド１´のように尖鋭突起部４と透孔４ａの縁部とがなす角度を１３５°以上１６５°以下の鈍角とすることも可能である。かかる尖鋭突起付バンド１´によれば、尖鋭突起部４が上記実施形態の尖鋭突起付バンド１のそれよりも大きく反り返ることで、縦樋や導水管に付与される忍び返しの機能が強化される。
【００３９】
また、上記実施形態の尖鋭突起付バンド１は、１本の長尺帯状の板材１ａから形成したが、図５（ａ）に示す本発明のさらに別の実施形態に係る尖鋭突起付バンド１´´のように、それぞれ一端部が小円筒状に形成され、他端部が装着片３を形成している２つの半円形の半バンド体２ｂの各一端部同士を枢支ピン１３により連結してヒンジとし、他端部同士をボルト５ａ，ナット５ｂにより互いに接合させることにより形成しても良い。これによれば、１つの尖鋭突起付バンド１´´を製造するために必要な部材の数は増えるものの、尖鋭突起付バンド１´´を構成する半円形の半バンド体２ｂは、同形状の長尺帯状の板材から形成し得ることから、部材の種類が一種類で済む点においては、上記実施形態の尖鋭突起付バンド１と何ら変わりがなく、使用材料が削減されて製造コストが安価に済む。
【００４０】
また、図５（ｂ）に示す本発明のさらに別の実施形態に係る尖鋭突起付バンド１´´´のように、それぞれ一端部が小円筒状に形成され、他端部が装着片３を形成している中途で略直角に曲折された２つのバンド体２ｂ´の各一端部と、両端部が小円筒状に形成されたバンド体２ｃの各端部とを枢支ピン１３により連結してヒンジとし、他端部同士が上記実施形態同様にボルト５ａ，ナット５ｂにより互いに接合されることにより形成しても良い。これによれば、１つの尖鋭突起付バンド１´´´を製造するために必要な材料の数は増えるものの、各バンド体は、同形状の長尺帯状の板材から形成し得ることから、部材の種類が一種類で済む点においては、上記実施形態の尖鋭突起付バンド１と何ら変わりがなく、使用材料が削減されて製造コストが安価に済むとともに、管や柱等の固定部材に外嵌されるバンド部２´の内形形状が矩形状に形成されていることから、四角柱状の縦樋や導水管にも装着が可能である。また、このように本発明において尖鋭突起付バンドのバンド部の内形形状は、環状や矩形状に限定されず、装着される固定部材の外形形状に応じて種々変更することが可能である。
【００４１】
また、上記実施形態の尖鋭突起付バンド１は、縦樋や導水管を建屋の壁面に施工（固定）するための控金具と別体化され、該縦樋等に外嵌される単独の部材として構成したが、本発明に係る尖鋭突起付バンドは、そのような控金具を兼ねるものであっても良い。即ち、該尖鋭突起付バンドは、例えば、上記した控金具７と同様の形態、即ち、控金具本体が、管や柱等の固定部材に外嵌され、外方に尖鋭突起部が突出している円環状のバンド部によって構成され、該バンド部に固定され、建屋に取り付けられる棒状の取付杆８とは別体化されてなるものでも良いし、或いは、前記バンド部が、２つの半円形の半バンド体の一端部同士が枢支ピンにより連結され、且つ、他端部に係合部および被係合部がそれぞれ設けられ、該他端部同士が、係合部および被係合部が互いに係合することで形成され、該バンド部の外周の一部に、先端が鋭利な棒状体であって、該先端から建屋の壁面に打ち込まれる（取り付けられる）取付杆が固設されてなるものであっても良い。
【００４２】
また、上記実施形態の尖鋭突起付バンド１において、尖鋭突起部４の側面の角部を切削して鋸歯状に形成しても良い。これによれば、尖鋭突起部４の尖鋭度が更に高まり、縦樋や導水管に付与される忍び返しの機能が増強される。
【００４３】
また、上記実施形態の尖鋭突起付バンド１においては、尖鋭突起部４は、長尺帯状の板材１ａに切り込みを入れることで形成したが、長尺帯状の板材１ａの短手幅方向縁部を切り欠き、更に該切欠き部を長尺帯状の板材１ａを曲折することで板材１ａ表面から突出させることで形成しても良い。
【００４４】
更に、上記実施形態の尖鋭突起付バンド１では、尖鋭突起付バンド１を管や柱等の固定部材に固定する固定手段としてボルト５ａ，ナット５ｂを使用したが、本発明において尖鋭突起付バンドの固定手段はこれらボルト５ａ，ナット５ｂに限定されるものではなく、例えば、バンド部２の周方向の内側に位置する一端部にウォームを両端部で回転可能に支持したハウジングを設け、バンド部２の周方向の外側に位置する他端部にウォームに係合する溝を設け、バンド部２で管や柱等の固定部材を外嵌した状態で前記ウォームを回転させるとバンド部２で前記固定部材が締め付けられるように構成し、このようなホースバンド類似のウォームと係合溝とからなる固定手段を用いても良い。
【００４５】
更にまた、かかる構成に代えて、例えば、バンド部２の周方向の両端部にそれぞれ係合フックを各係合凹部が略反対方向に向くように設け、この一対の係合凹部に、金属製の線状体からなり、長さ方向の中央部を側面視Ｕ字状に湾曲させた平面視略矩形ループ状の弾性連結金具の両短辺部を係合させて該弾性連結金具を前記一対の係合フック間に介設し、一方の係合フックを他方の係合フック側に位置する端部近傍を支点としてバンド部２に対して回転可能に設けて該一方の係合フックをバンド部２に沿うように回転させたときに、該一方の係合フックがバンド部２に係止され固定されるとともに、バンド部２の内径が縮小されてバンド部２に外嵌される管や柱等の固定部材が締め付けられるように構成し、かかる一対の係合フックと弾性連結金具とからなる固定手段を用いることも可能である。
【図面の簡単な説明】
【００４６】
【図１】本発明の一実施形態に係る尖鋭突起付バンドの全体斜視図である。
【図２】図２（ａ）〜図２（ｅ）は、同尖鋭突起付バンドの製造過程をアルファベット順で示す斜視図である。
【図３】図３（ａ）および図３（ｂ）は、同尖鋭突起付バンドの縦樋への装着方法を説明する説明図である。
【図４】図４は、本発明の別の実施形態に係る尖鋭突起付バンドの側面図である。
【図５】図５（ａ）および図５（ｂ）は、それぞれ本発明のさらに別の実施形態に係る尖鋭突起付バンドの平面図である。
【図６】図６は、従来例の尖鋭突起付バンドを示す全体斜視図である。
【符号の説明】
【００４７】
１…尖鋭突起付バンド、２…バンド部、４…尖鋭突起部
【図１】
2005139723.tif 000003
【図２】
2005139723.tif 000004
【図３】
2005139723.tif 000005
【図４】
2005139723.tif 000006
【図５】
2005139723.tif 000007
【図６】
2005139723.tif 000008